(57)【要約】【課題】  床下空間に入らなくてもヘッダーへの配管接続を行うことができるとともに、充分な耐久性を確保することができる床暖房装置を提供すること。【解決手段】  ヘッダー取付開口２０を有する下地床体２と、下地床体の上面側に設置された温水マット体４と、温水マット体４の上側に設置された仕上げ床体６と、ヘッダー取付開口２０に取り付けられたヘッダー支持体２２と、ヘッダー支持体２２に取り付けられたヘッダー２４と、を備えた床暖房装置。ヘッダー支持体２２は、支持本体部２６を下側からヘッダー取付開口２０を通して挿入して取付フランジ２８を下地床体２の下面に当接させてこの下地床体４に取り付けられ、ヘッダー２４の温水流入部４２及び温水流出部４４はヘッダー支持体２６を通して下地床体２の下側に突出し、ヘッダー２４の温水供給部５０が温水チューブ１４の一端部に接続され、温水戻り部５６が温水チューブ１４の他端部に接続される。【選択図】  図１
2009287818.tif 000002
【特許請求の範囲】
【請求項１】
ヘッダー取付開口を有する下地床体と、前記下地床体の上面側に設置された温水マット体と、前記温水マット体の上側に設置された仕上げ床体と、前記下地床体の前記ヘッダー取付開口に取り付けられたヘッダー支持体と、前記ヘッダー支持体に取り付けられたヘッダーと、を備え、前記温水マット体は、温水を流すための温水チューブを有し、前記ヘッダー支持体は、前記ヘッダーを収容する収容凹部が設けられた支持本体部と、前記支持本体部に設けられた取付フランジとを有し、前記支持本体部を下側から前記ヘッダー取付開口を通して挿入して前記取付フランジを前記下地床体の下面に当接させて前記下地床体に取り付けられ、また前記ヘッダーは、温水が流入する温水流入部と、温水が流出する温水流出部と、前記温水流入部からの温水を供給するための温水供給部と、温水を前記温水流出部に戻すための温水戻り部とを有し、前記温水流入部及び前記温水流出部は前記ヘッダー支持体を通して前記下地床体の下側に突出し、前記温水供給部が前記温水チューブの一端部に接続され、前記温水戻り部が前記温水チューブの他端部に接続されることを特徴とする床暖房装置。
【請求項２】
前記ヘッダー支持体は、前記取付フランジが設けられた外側部材と、前記収容凹部が設けられた内側部材とから構成され、前記外側部材には、肩部を有する装着開口が設けられ、前記内側部材には、前記装着開口の前記肩部に載置される装着フランジが設けられ、前記外側部材は、下側から前記ヘッダー取付開口を通して挿入して前記取付フランジを前記下地床体の下面に当接させて前記下地床体に取り付けられ、また前記内側部材は、上側から前記装着開口を通して挿入して前記装着フランジを前記肩部に載置させて前記外側部材に取り付けられ、前記温水流入部及び前記温水流出部は前記ヘッダー支持体の前記内側部材を通して前記下地床体の下側に突出していることを特徴とする請求項１に記載の床暖房装置。
【請求項３】
作業開口を有する下地床体と、前記下地床体の上面側に設置された温水マット体と、前記温水マット体の上側に設置された仕上げ床体と、前記作業開口に装着された開口閉塞部材と、前記温水マットに温水を供給するとともに、供給した温水を戻すためのヘッダーとを備え、前記温水マット体は、温水を流すための温水チューブを有し、前記ヘッダーは、温水が流入する温水流入部と、温水が流出する温水流出部と、前記温水流入部からの温水を供給するための温水供給部と、温水を前記温水流出部に戻すための温水戻り部とを有し、前記温水チューブの一端部が前記開口閉塞部材を通して前記ヘッダーの前記温水供給部に接続され、前記温水チューブの他端部が前記開口閉塞部材を通して前記ヘッダーの前記温水戻り部に接続されることを特徴とする床暖房装置。
【請求項４】
下地床体の上面側に温水マット体及び仕上げ床体を設置して前記温水マット体に内蔵される温水チューブを通して温水を循環する床暖房装置の施工方法であって、
前記下地床体にヘッダー取付開口を形成し、ヘッダーの温水流入部及び温水流出部を下側に突出させるように前記ヘッダーをヘッダー支持体に取り付け、前記温水流入部を熱源機からの温水供給ラインに接続するとともに、前記温水流出部を前記熱源機への温水戻しラインに接続し、前記ヘッダー支持体を下側から前記下地床体の前記ヘッダー取り付け開口に取り付け、その後、前記下地床体を覆うように前記温水マットを設置し、前記温水マットの温水チューブの一端部を前記ヘッダーの温水供給部に接続するとともに、前記温水チューブの他端部を前記ヘッダーの前記温水戻り部に接続することを特徴とする床暖房装置の施工方法。
【請求項５】
下地床体の上側に温水マット部材及び仕上げ床部材を一体的に形成したマットユニットを設置する床暖房装置の施工方法であって、
前記下地床体に作業開口を形成し、前記温水マット部材の温水チューブの両端部を開口閉塞部材を通して前記下地床体の下側に導き、前記温水チューブの一端部をヘッダーの温水供給部に接続するとともにその他端部を前記ヘッダーの温水戻し部に接続し、更に前記ヘッダーの温水流入部を熱源機からの温水供給ラインに接続するとともに、その温水流出部を熱源機への温水戻りラインに接続し、その後前記開口閉塞部材を前記下地床体の前記作業開口に装着し、しかる後に前記開口閉塞部材を覆うように仕上げ床片を装着することを特徴とする床暖房装置の施工方法。
【発明の詳細な説明】
【技術分野】
【０００１】
本発明は、温水を利用して床を暖房する床暖房装置及びその施工方法に関する。
【背景技術】
【０００２】
温水を利用して床を暖房する床暖房装置が広く実用に供されている。この床暖房装置は、下地床体の上面側に設置される温水マット体と、この温水マット体の上面側に設置される仕上げ床体とを備え、温水マット体に内蔵された温水チューブに熱源機からの温水が循環される（例えば、特許文献１参照）。この床暖房装置では、熱源機からの温水を所要の通りに分配するためにヘッダーが用いられ、このヘッダーは、熱源機からの温水が供給される温水流入部と、熱源機に温水を戻す温水流出部と、温水流入部から流入した温水を温水マット体に供給する温水供給部と、温水マット体からの温水を温水流出部に戻す温水戻り部とを有し、熱源機からの温水はヘッダーの温水流入部及び温水供給部を通して温水マット体の温水チューブに供給され、また温水チューブを流れた温水は、ヘッダーの温水戻り部及び温水流出部を通して熱源機に戻され、熱源機からの温水はこのようにして温水マット体を通して循環される。
【０００３】
【特許文献１】特開２００３−１９４３４８号公報
【発明の開示】
【発明が解決しようとする課題】
【０００４】
このような床暖房装置においては、床暖房装置の床材として、温水マット部材と仕上げ床部材とが一体的に形成されたマットユニットを用いる場合がある。このような場合、マットユニットの厚さは１２ｍｍ程度であり、その内部にヘッダーを搭載することができず、ヘッダーを床下の空間に配設し、床下の空間にてヘッダーへの接続を行っている。このような床暖房装置では、下地床体に引出孔を設け、温水マット部材の温水チューブの両端部を引出孔を通して床下空間に導き、この床下空間にてヘッダーに接続するようになるが、作業員が床下空間に入ることができないときには、下地床体の上側から作業ができるように大きな引出孔を設けて接続作業を行うようになり、それ故に、引出孔の部位において下地床体の強度が低下し、充分な耐久性を確保することができない問題がある。
【０００５】
本発明の目的は、床下空間に入らなくてもヘッダーへの配管接続を行うことができるとともに、充分な耐久性を確保することができる床暖房装置を提供することである。
また、本発明の他の目的は、下地床体の上側からヘッダーへの配管接続を行うことができる床暖房装置の施工方法を提供することである。
【課題を解決するための手段】
【０００６】
本発明の請求項１に記載の床暖房装置は、ヘッダー取付開口を有する下地床体と、前記下地床体の上面側に設置された温水マット体と、前記温水マット体の上側に設置された仕上げ床体と、前記下地床体の前記ヘッダー取付開口に取り付けられたヘッダー支持体と、前記ヘッダー支持体に取り付けられたヘッダーと、を備え、前記温水マット体は、温水を流すための温水チューブを有し、前記ヘッダー支持体は、前記ヘッダーを収容する収容凹部が設けられた支持本体部と、前記支持本体部に設けられた取付フランジとを有し、前記支持本体部を下側から前記ヘッダー取付開口を通して挿入して前記取付フランジを前記下地床体の下面に当接させて前記下地床体に取り付けられ、また前記ヘッダーは、温水が流入する温水流入部と、温水が流出する温水流出部と、前記温水流入部からの温水を供給するための温水供給部と、温水を前記温水流出部に戻すための温水戻り部とを有し、前記温水流入部及び前記温水流出部は前記ヘッダー支持体を通して前記下地床体の下側に突出し、前記温水供給部が前記温水チューブの一端部に接続され、前記温水戻り部が前記温水チューブの他端部に接続されることを特徴とする。
【０００７】
また、本発明の請求項２に記載の床暖房装置では、前記ヘッダー支持体は、前記取付フランジが設けられた外側部材と、前記収容凹部が設けられた内側部材とから構成され、前記外側部材には、肩部を有する装着開口が設けられ、前記内側部材には、前記装着開口の前記肩部に載置される装着フランジが設けられ、前記外側部材は、下側から前記ヘッダー取付開口を通して挿入して前記取付フランジを前記下地床体の下面に当接させて前記下地床体に取り付けられ、また前記内側部材は、上側から前記装着開口を通して挿入して前記装着フランジを前記肩部に載置させて前記外側部材に取り付けられ、前記温水流入部及び前記温水流出部は前記ヘッダー支持体の前記内側部材を通して前記下地床体の下側に突出していることを特徴とする。
【０００８】
また、本発明の請求項３に記載の床暖房装置では、作業開口を有する下地床体と、前記下地床体の上面側に設置された温水マット体と、前記温水マット体の上側に設置された仕上げ床体と、前記作業開口に装着された開口閉塞部材と、前記温水マットに温水を供給するとともに、供給した温水を戻すためのヘッダーとを備え、前記温水マット体は、温水を流すための温水チューブを有し、前記ヘッダーは、温水が流入する温水流入部と、温水が流出する温水流出部と、前記温水流入部からの温水を供給するための温水供給部と、温水を前記温水流出部に戻すための温水戻り部とを有し、前記温水チューブの一端部が前記開口閉塞部材を通して前記ヘッダーの前記温水供給部に接続され、前記温水チューブの他端部が前記開口閉塞部材を通して前記ヘッダーの前記温水戻り部に接続されることを特徴とする。
【０００９】
また、本発明の請求項４に記載の床暖房装置の施工方法によれば、下地床体の上面側に温水マット体及び仕上げ床体を設置して前記温水マット体に内蔵される温水チューブを通して温水を循環する床暖房装置の施工方法であって、
前記下地床体にヘッダー取付開口を形成し、ヘッダーの温水流入部及び温水流出部を下側に突出させるように前記ヘッダーをヘッダー支持体に取り付け、前記温水流入部を熱源機からの温水供給ラインに接続するとともに、前記温水流出部を前記熱源機への温水戻しラインに接続し、前記ヘッダー支持体を下側から前記下地床体の前記ヘッダー取り付け開口に取り付け、その後、前記下地床体を覆うように前記温水マットを設置し、前記温水マットの温水チューブの一端部を前記ヘッダーの温水供給部に接続するとともに、前記温水チューブの他端部を前記ヘッダーの前記温水戻り部に接続することを特徴とする。
【００１０】
更に、本発明の請求項５に記載の床暖房装置の施工方法は、下地床体の上側に温水マット部材及び仕上げ床部材を一体的に形成したマットユニットを設置する床暖房装置の施工方法であって、
前記下地床体に作業開口を形成し、前記温水マット部材の温水チューブの両端部を開口閉塞部材を通して前記下地床体の下側に導き、前記温水チューブの一端部をヘッダーの温水供給部に接続するとともにその他端部を前記ヘッダーの温水戻し部に接続し、更に前記ヘッダーの温水流入部を熱源機からの温水供給ラインに接続するとともに、その温水流出部を熱源機への温水戻りラインに接続し、その後前記開口閉塞部材を前記下地床体の前記作業開口に装着し、しかる後に前記開口閉塞部材を覆うように仕上げ床片を装着することを特徴とする。
【発明の効果】
【００１１】
本発明の請求項１に記載の床暖房装置によれば、下地床体にヘッダー取付開口が設けられ、このヘッダー取付開口にヘッダー支持体が取り付けられ、ヘッダー支持体に取り付けられるヘッダーの温水流入部及び温水流出部はヘッダー支持体を通して下地床体の下側に突出する構成であるので、このヘッダー取付開口を通して温水流入部及び温水流出部を熱源機からの温水供給ライン及び温水戻しラインに接続することができ、下地床体の一部を取り外すことなく熱源機への接続を容易に行うことができる。また、ヘッダー支持体は、その支持本体部を下側からヘッダー取付開口を通して挿入して取付フランジを下地床体の下面に当接させて下地床体に取り付けられ、ヘッダーはこのヘッダー支持体の収容凹部に収容される構成であるので、ヘッダーの上方の床面に作用する負荷は、このヘッダー支持体を介して下地床体に支持され、大きな負荷が作用しても支持することができ、充分な耐久性を確保することができる。また、ヘッダーと温水マット体の温水チューブとの接続は、例えば、下地床体にヘッダー支持体を取り付け、このヘッダー支持体にヘッダーを取り付けた状態にて上側から行うことができ、その接続も容易に行うことができる。
【００１２】
また、本発明の請求項２に記載の床暖房装置によれば、ヘッダー支持体は、取付フランジが設けられた外側部材と、ヘッダーを収容する収容凹部が設けられた内側部材とから構成され、外側部材には肩部を有する装着開口が設けられ、内側部材には、この肩部に載置される装着フランジが設けられているので、外側部材については、ヘッダー取付開口を通して下地床体の下側に挿入して取付フランジを下地床体の下面に当接させて下地床体に取り付けることができ、内側部材については、上側から装着開口を通して挿入して装着フランジを肩部に載置させて外側部材に取り付けることができ、このヘッダー支持体を下地床体に簡単に且つ容易に取り付けることができる。
【００１３】
また、本発明の請求項３に記載の床暖房装置によれば、下地床体に作業開口が設けられ、この作業開口に開口閉塞部材が取り付けられ、温水マット体の両端部が開口閉塞部材を通して下地床体の下側に導かれる構成であるので、この作業開口を通して温水チューブの両端部を熱源機からの温水供給ライン及び温水戻しラインに接続することができ、下地床体の一部を取り外すことなく熱源機への接続を容易に行うことができる。また、下地床体の作業開口に開口閉塞部材が装着されるので、この作業開口の上方の床面に作用する負荷は、この開口閉塞部材を介して下地床体に支持され、充分な耐久性を確保することができる。
【００１４】
また、本発明の請求項４に記載の床暖房装置の施工方法によれば、下地床体にヘッダー取付開口を形成し、ヘッダーの温水供給部及び温水戻し部を下側に突出させるようにヘッダーをヘッダー支持体に取り付け、この状態にてヘッダーの温水供給部を熱源機からの温水供給ラインに接続し、また温水戻し部を熱源機への温水戻しラインに接続するので、ヘッダー取付開口を利用して下地床体の一部を取り外すことなく熱源機への接続を行うことができる。また、このヘッダー支持体については、下側から下地床体のヘッダー取付開口に取り付けるので、ヘッダー取付開口の上方に作用する負荷はこのヘッダー支持体で支持することができ、充分な耐久性を確保することができる。
【００１５】
更に、本発明の請求項５に記載の床暖房装置の施工方法によれば、温水マット部材及び仕上げ床部材を一体的に形成されたマットユニットから構成した床暖房装置においても、下地床体に作業開口を形成し、温水マット部材の温水チューブの両端部を開口閉塞部材を通してヘッダーの温水供給部及び温水戻し部に接続し、更にヘッダーの温水流入部及び温水流出部を熱源機に接続することによって、下地床体の作業開口を通して所要の接続作業を容易に行うことができる。また、この接続作業の後、開口閉塞部材を下地床体の作業開口に装着し、しかる後に開口閉塞部材を覆うように仕上げ床片を装着するので、仕上げ床片に作用する負荷をこの開口閉塞部材を介して下地床体でもって支持することができ、充分な耐久性を確保することができる。
【発明を実施するための最良の形態】
【００１６】
以下、添付図面を参照して、本発明に従う床暖房装置及びその施工方法について説明する。図１は、第１の実施形態の床暖房装置の一部を断面で示す部分断面図であり、図２は、図１の床暖房装置におけるヘッダー支持体及びこれに装着されたヘッダーを示す平面図であり、図３は、第２の実施形態の床暖房装置の一部を断面で示す部分断面図であり、図４は、第３の実施形態の床暖房装置の一部を断面で示す部分断面図である。
【００１７】
図１において、図示の床暖房装置は、下地床体２と、この下地床体２の上側に設置される温水マット体４と、この温水マット体４の上側に設置される仕上げ床体６とを備えている。家屋の大引（図示せず）には間隔をおいて根太（図示せず）が取り付けられ、これら根太の上面に下地床体２が取り付けられる。下地床体２は、板材又は合板材などから形成される複数の下地床部材８から構成され、これら下地床部材８が根太に釘などを用いて固定される。
【００１８】
温水マット体４は複数の温水マット部材１０と複数の疑似マット部材（図示せず）から構成され、これら温水マット部材１０及び疑似マット部材が下地床体２の全域を覆うように所要の通りに設置され、接着剤などを用いて下地床体２の上面に固定される。温水マット部材１０は、合成樹脂製、木製などのマット本体１２を備え、このマット本体１２に温水チューブ１４（例えば、合成樹脂チューブから構成される）が所要の通りに内蔵され、暖房用の温水がこの温水チューブ１４を通して流れる。また疑似マット部材は、合成樹脂製、木製などの疑似マット本体から構成され、この疑似マット本体には温水チューブは内蔵されない。温水マット体４は、上述した温水マット部材１０及び疑似マット部材を組み合わせて構成され、暖房を必要とする床面には温水マット部材１２が設置され、暖房を必要としない床面には疑似マットが設置される。
【００１９】
この温水マット部材１０の上面には、必要に応じてアルミニウム製シート１６が配設され、接着剤などによって温水マット体４の上面に固定され、このアルミニウム製シート１６の上側に仕上げ床体６が設置される。仕上げ床体６は、複数の仕上げ床部材１８から構成され、これらが接着剤などによってアルミニウム製シート１６の上面に固定される。仕上げ床部材１８は、合板などから構成される。
【００２０】
図１とともに図２を参照して、この床暖房装置では、下地床体２の所定部位に、例えば矩形状のヘッダー取付開口２０が設けられ、このヘッダー取付開口２０にヘッダー支持体２２が後述する如く取り付けられ、かく取り付けられたヘッダー支持体２２にヘッダー２４が装着されている。ヘッダー支持体２２は矩形状の支持本体部２６を有し、この支持本体部２６の両端部に取付フランジ２８が設けられている。このようなヘッダー支持体２２は、例えば合成樹脂から形成することができる。この取付フランジ２８は、支持本体部２６の両端部に代えて、その両側部に設けるようにしてもよい。このヘッダー支持体２２は、図１に示すように、下地床体２２の下側からヘッダー取付開口２０を通して支持本体部２６を挿入してヘッダー支持体２２の取付フランジ２８が下地床体８の下面に当接され、このような状態にて釘３０、固定ねじなどにより固定される。
【００２１】
このヘッダー支持体２２の支持本体部２６の上面には、ヘッダー２４の形状に対応して収容凹部３２が設けられている。図示のヘッダー２４は矩形状のヘッダー本体３４を備え、このヘッダー本体３４に供給側流路３６及び戻り側流路３８が設けられている。ヘッダー本体３４の下面には、供給側流路３６に連通する温水流入部４２及び戻り側流路３８に連通する温水流出部４４が設けられ、温水流入部４２及び温水流出部４４は、ヘッダー支持体２２の支持本体部２６に設けられた貫通孔（図示せず）を通してその下側に、即ち下地床体２の下側に突出している。温水流入部４２は温水供給ライン４６を介して熱源機（図示せず）の供給側に接続され、また温水流出部４４は温水戻りライン４８を介して熱源機の戻り側に接続される。
【００２２】
このヘッダー本体３４の一端部（図１及び図２において左端部）には第１温水供給部５０及び第１温水戻り部５２が設けられ、その他端部（図１及び図２において右端部）には第２温水供給部５４及び第２温水戻り部５６が設けられている。第１及び第２温水供給部５０，５４は供給側流路３６に連通され、第１及び第２温水戻り部５２，５６は戻り側流路３８に連通されている。ヘッダー２４の第１温水供給部５０及び第１温水戻り部５２は温水マット体４の一つの温水マット部材１０に接続され（具体的には、第１温水供給部５０は温水マット部材１０の温水チューブ１４の一端部に接続され、第１温水戻り部５２はその温水チューブ１４の他端部に接続される）、その第２温水供給部５４及び第２温水戻り部５６は温水マット体４の他の一つの温水マット部材１０に接続される（具体的には、第２温水供給部５４は他の温水マット部材１０の温水チューブ１４の一端部に接続され、第２温水戻り部５６はその温水チューブ１４の他端部に接続される）。尚、ヘッダー２４の上述した構成に関連して、ヘッダー支持体２２の収容凹部３２は、ヘッダー本体３４を収容する矩形状の中央収容部と、第１及び第２温水供給部５０，５４並びに第１及び第２温水戻り部５２，５６を収容する細長い延長収容部とを有し、これら延長収容部は中央収容部から両側に直線状に延びている。
【００２３】
この実施形態では、ヘッダー２４を覆うように、ヘッダー支持体２２の支持本体部２６の上面に、例えば合成樹脂から形成されるカバー部材５８が配設されている。このカバー部材５８は、温水マット体４の上面とヘッダー支持体２２の上面との間に段差が生じないように設けられ、このようにカバー部材５８を設けることによって、温水マット体４の上面とカバー部材５８の上面とが同一面を規定する。このように構成することによって、ヘッダー２４の上方の仕上げ床体６に作用する負荷は、カバー部材５８及びヘッダー支持体２２を介して下地床体２に支持され、ヘッダー２４の配設部位においても充分な強度を確保することができる。尚、温水マット体４の上面とヘッダー支持体２２の上面とが同一面を規定するように構成したときには、このカバー部材５８を省略することができ、このときには、ヘッダー２４の上方の仕上げ床体６に作用する負荷は、ヘッダー支持体２２を介して下地床体２に支持される。
【００２４】
この床暖房装置は、例えば、次のようにして施工することができる。まず、下地床体２の所定部位にヘッダー取付開口２０を形成する。既設の家屋などについては、床材を取り外して下地床体２のヘッダー取付開口２０を形成し、新築の家屋については、下地床体２を設けた後にヘッダー取付開口２０を形成する。次いで、ヘッダー２４をヘッダー支持体２２の収容凹部３２に所要の通りに収容し、ヘッダー２４の温水流入部４２及び温水流出部４４をヘッダー支持体２４の下側に突出させる。そして、このような状態にて、ヘッダー取付開口２０を通して、温水流入部４２に熱源機（図示せず）からの温水供給ライン４６を接続するとともに、温水流出部４４に熱源機への温水戻りライン４８を接続する。
【００２５】
その後、ヘッダー２４を収容したヘッダー支持体２２をヘッダー取付開口２０を通して下地床体２の下側に入れ、支持体本体２６を下側からヘッダー取付開口２０に挿入して取付フランジ２８を下地床体２の下面に当接させ、釘３０などによりこのヘッダー支持体２２を下地床体２に取り付ける。尚、ヘッダー２４を収容したヘッダー支持体２２を下地床体２の下側に入れ、このような状態でヘッダー２４の温水流入部４２及び温水流出部４４を温水供給ライン４６及び温水戻りライン４６に接続し、その後このヘッダー支持体２２を下地床体２に取り付けるようにしてもよい。
【００２６】
次に、下地床体２の上面に温水マット体４を所要の通りに設置する。この設置は、上述したように、暖房を必要とする領域には温水マット部材１２を設置し、暖房を必要としない領域には疑似マット部材を設置する。そして、温水マット部材１２の温水チューブ１４の一端部をヘッダー２４の第１温水供給部５０（第２温水供給部５４）に接続するとともに、その他端部をヘッダー２４の第１温水戻し部５２（第２温水戻し部５６）に接続する。
【００２７】
しかる後に、ヘッダー２４及びヘッダー支持体２２を覆うようにカバー部材５８を配設し、温水マット体４及びカバー部材５８を覆うようにアルミニウム製シート１６が配設され、このアルミニウム製シート１６の上側に仕上げ床体６が所要の通りに設置され、このようにして上述した床暖房装置を施工することができる。この施工方法では、下地床体２の所定部位にヘッダー取付開口２０を設け、このヘッダー取付開口２０を利用してヘッダー２０との接続作業などを行うので、下地床体２の一部を取り外すなどの作業を必要とせず、その施工を簡単に且つ容易に行うことができ、施工作業時間を短縮させることができる。
【００２８】
このように施工した床暖房装置では、熱源機（図示せず）からの温水が、温水供給ライン４６を通してヘッダー２４の温水流入部４２に流入し、かく流入した温水が、供給側流路３６並びに第１及び第２温水供給部５０，５４から温水マット部材１０の温水チューブ１４に供給され、これら温水チューブ１４を流れた温水は、ヘッダー２４の第１及び第２温水戻り部５２，５６並びに戻り側流路３８を通して温水流出部４４から温水戻りライン４８を通して熱源機に戻り、熱源機からの温水がこのようにして温水マット部材１０の温水チューブ１４を通して循環され、かく循環される温水の熱が温水マット部材１０、アルミニウム製シート１６及び仕上げ床体６を通して伝達されて床面が加温される。
【００２９】
次に、図３を参照して、第２の実施形態の床暖房装置について説明する。尚、以下の実施形態において、第１の実施形態と実質上同一の部材には同一の参照番号を付し、その説明を省略する。
【００３０】
この第２の実施形態では、温水マット体４Ａの温水マット部材１０Ａ（及び疑似マット部材）と仕上げ床体６Ａの仕上げ床部材１８Ａとが一体的に形成され、温水マット部材１０Ａ（及び疑似マット部材）及び仕上げ床部材１８Ａがマットユニット６２を構成しており、このようなマットユニット６２を用いる場合、下地床体２の上面側にマットユニット６２が設置される。
【００３１】
この第２の実施形態においては、ヘッダー２４及びヘッダー支持体２２を覆うように仕上げ床片６４が取り付けられ、例えば接着剤などを用いてヘッダー支持体２２の上面に固定される。この仕上げ床片６４は、仕上げ床部材１８Ａと同様の材料から形成される。尚、この仕上げ床片６４とヘッダー２４及びヘッダー支持体２２との間に、ヘッダー２４からの熱伝導を抑えるために、例えば合成樹脂から形成されるカバー部材を介在させるようにしてもよい。この第２の実施形態におけるその他の構成は、上述の第１の実施形態と実質上同一である。
【００３２】
この第２の実施形態の床暖房装置の施工は、例えば次の通りに行うことができる。第１の実施形態と同様に、下地床体２の所定部位にヘッダー取付開口２０を形成し、ヘッダー２４をヘッダー支持体２２の収容凹部３２に所要の通りに収容し、ヘッダー取付開口２０を通して、ヘッダー２４の温水流入部４２に熱源機（図示せず）からの温水供給ライン４６を接続するとともに、温水流出部４４に熱源機への温水戻りライン４８を接続する。そして、ヘッダー２４を収容したヘッダー支持体２２をヘッダー取付開口２０を通して下地床体２の下側に入れ、支持体本体２６を下側からヘッダー取付開口２０に挿入して取付フランジ２８を下地床体２の下面に当接させ、このヘッダー支持体２２を下地床体２に取り付ける。
【００３３】
次に、下地床体２の上面にマットユニット６２を所要の通りに設置する。この設置は、暖房を必要とする領域には温水チューブ１４を内蔵するマットユニットを設置し、暖房を必要としない領域には温水チューブを内蔵しないマットユニットを設置する。そして、マットユニット６２の温水チューブ１４の一端部をヘッダー２４の第１温水供給部５０（第２温水供給部５４）に接続するとともに、その他端部をヘッダー２４の第１温水戻し部５２（第２温水戻し部５６）に接続する。
【００３４】
しかる後に、ヘッダー２４及びヘッダー支持体２２を覆うように仕上げ床片６４を装着し、このようにして床暖房装置を所要の通りに設置することができる。この施工方法でも、第１の実施形態と同様に、下地床体２の所定部位にヘッダー取付開口２０を設け、このヘッダー取付開口２０を利用してヘッダー２０との接続作業などを行うので、上述したと同様の作用効果が達成される。
【００３５】
第２の実施形態では、マットユニット６２を用いているが、このようなマットユニット６２の厚さが例えば１２ｍｍ程度と薄い場合、図３に示すようにヘッダー２４を内蔵させることが難しく、ヘッダー２４を下地床体２の下側空間に吊り下がった状態に保持するようになる。この場合、ヘッダー取付開口に代えて、下地床体２の所定部位に作業開口が設けられ、ヘッダー支持体に代えて、上述したヘッダー支持体と略同様の形状の開口閉塞部材（ヘッダーを取り付ける必要がないために収容凹部が存在しないが、マットユニット６２から温水チューブ１４を挿通させるための貫通孔が設けられているもの）が用いられる。このような床暖房装置においては、第２の実施形態と略同様に施工することができ、例えば、下地床体２の所定部位に作業開口を形成し、ヘッダー２４を作業開口を通して下地床体２の下側に入れ、ヘッダー２４の温水流入部４２及び温水流出部４４に温水供給ライン４６及び温水戻りライン４８を接続する。その後、下地床体２の上面側にマットユニット６２を設置し、更に開口閉塞部材を作業開口を通して下地床体２の下側空間に入れ、マットユニット６２から延びる温水チューブ１４の一端部を開口閉塞部材を通してヘッダー２４の第１温水供給部５０（第２温水供給部５４）に接続するとともに、この温水チューブ１４の他端部を開口閉塞部材を通してヘッダー２４の第１温水戻り部５２（第２温水戻り部５４）に接続する。そして、この接続の後に、開口閉塞部材を下側から作業開口に挿入して開口閉塞部材の取付フランジを下地床体２の下面に当接させ、開口閉塞部材を下地床体２に取り付け、しかる後に、この開口閉塞部材の上面側に仕上げ床片を取り付け、このようにして施工することができる。
【００３６】
次に、図４を参照して、第３の実施形態の床暖房装置について説明する。この第３の実施形態では、ヘッダー支持体に修正が加えられ、ヘッダー支持体が外側部材と内側部材とから構成されている。
【００３７】
図４において、図示のヘッダー支持体２２Ｂの外側部材７２の両端部には、第１の実施形態と同様に、取付フランジ２８Ｂが設けられ、これら取付フランジ２８Ｂは下地床体２の下面に当接するように取り付けられる。この外側部材７２の略中央部には装着開口７４が設けられ、この装着開口７４の上部に肩部７６が設けられている。また、内側部材７８には外側部材７２の肩部７６に載置される装着フランジ８０が設けられ、またその上面には、第１の実施形態におけるヘッダー支持体２２の収容凹部３２と同様の形状の収容凹部８２が設けられ、更にヘッダー２４の温水流入部４２及び温水流出部４４が挿通される貫通孔（図示せず）が設けられている。この第３の実施形態におけるその他の構成は、上述した第１の実施形態と実質上同一である。
【００３８】
この第３の実施形態の床暖房装置は、例えば、次のようにして施工することができる。まず、下地床体２の所定部位にヘッダー取付開口２０を形成し、ヘッダー支持体２２Ａの外側部材７２をヘッダー取付開口２０を通して下地床体２の下側空間に挿入し、下側からヘッダー取付開口２０に挿入して取付フランジ２８Ｂを下地床体２の下面に当接させ、釘３０などによりこの外側部材７２を下地床体２に取り付ける。
【００３９】
その後、内側部材７８の収容凹部８２にヘッダー２４を収容して温水流入部４２及び温水流出部４４を内側部材７８の下側に突出させ、外側部材７２の装着開口７４を通して、熱源機（図示せず）からの温水供給ライン４６を温水流入部４２に接続するとともに、熱源機への温水戻りライン４８を温水流出部４４に接続する。
【００４０】
その後、ヘッダー２４を収容した内側部材７８を装着開口７４内に挿入し、装着フランジ８０を外側部材７２の肩部７６に載置して内側部材７８を接着剤などで外側部材７２に固定する。
【００４１】
その後、第１の実施形態と同様に、下地床体２の上面に温水マット体４を所要の通りに設置し、温水マット部材１２の温水チューブ１４の一端部をヘッダー２４の第１温水供給部５０（第２温水供給部５４）に接続するとともに、その他端部をヘッダー２４の第１温水戻し部５２（第２温水戻し部５６）に接続し、その後、ヘッダー２４及びヘッダー支持体２２Ｂの内側部材７８を覆うようにカバー部材５８を配設し、温水マット体４及びカバー部材５８を覆うようにアルミニウム製シート１６を配設し、更にアルミニウム製シート１６の上側に仕上げ床体６を所要の通りに設置し、このようにして上述して床暖房装置を施工することができる。この施工方法では、下地床体２の所定部位にヘッダー取付開口２０を設け、このヘッダー取付開口２０に外側部材７２を下側から取り付け、更に外側部材７２の装着開口７４に上側から内側部材７８を装着するので、ヘッダー支持体２２Ｂの装着を容易に行うことができ、床暖房装置の施工を一層容易に行うことができる。
【００４２】
以上、本発明に従う床暖房装置の実施形態について説明したが、本発明はこれら実施形態に限定されるものではなく、本発明の範囲を逸脱することなく種々の変形乃至修正が可能である。
【図面の簡単な説明】
【００４３】
【図１】第１の実施形態の床暖房装置の一部を断面で示す部分断面図。
【図２】図１の床暖房装置におけるヘッダー支持体及びこれに装着されたヘッダーを示す平面図。
【図３】第２の実施形態の床暖房装置の一部を断面出示す部分断面図。
【図４】第３の実施形態の床暖房装置の一部を断面で示す部分断面図。
【符号の説明】
【００４４】
２  下地床体
４，４Ａ  温水マット体
６，６Ａ  仕上げ床体
１０，１０Ａ  温水マット部材
１４  温水チューブ
２０  ヘッダー取付開口
２２  ヘッダー支持体
２４  ヘッダー
２８，２８Ｂ  取付フランジ
３２  収容凹部
４２  温水流入部
４４  温水流出部
５０，５４  温水供給部
５２，５６  温水戻り部
６２  マットユニット
６４  仕上げ床片
７２  外側部材
７８  内側部材
【図１】
2009287818.tif 000003
【図２】
2009287818.tif 000004
【図３】
2009287818.tif 000005
【図４】
2009287818.tif 000006